(57)【要約】【課題】携帯電話や小型の移動通信端末装置では、スペース的に入力キーを十分に用意することが出来ない為、文字入力に不便が生じている。本発明はキーを押す回数を減少させて簡便にストレス無く文字入力を行う方法を提供する。【解決手段】本発明は、携帯電話や端末での文字入力の際に、数字キーの同時押しにより、入力の効率化、迅速化を図ることを特徴とする。【選択図】図１
2005310090.tif 000002
【特許請求の範囲】
【請求項１】
携帯電話等の数字キー「０」から「９」、及び「＊」「＃」の４行×３列のキーのうち、２つ以上のキーを同時に押すことにより、かな・数字・英字・記号・制御文字・変換キー等を入力する方法。
【請求項２】
請求項１の方法を用いた、かな・英字・記号・制御文字・変換キー等のコード体系。
【請求項３】
文字入力後に請求項１を用いることにより、ひらがな、カタカナ、数字、英字、大文字小文字、半角全角に相互変換する方法。
【発明の詳細な説明】
【技術分野】
【０００１】  この発明は、携帯電話等における文字入力方法と文字種変換方法に関する。
【背景技術】
【０００２】  現在の携帯電話は、メール機能やインターネット接続機能により、文字を入力する機会が多くなってきているが、携帯電話は小型でキーの数も多くできないため、少ないキー操作で文字を入力する方法が必要となる。現在主流のかな入力方法は、特開昭６４−４１３５６号公報に開示されているように、「あ」のキーを１回押下する毎に、「あ」→「い」→「う」…と表示される。しかしながら、たとえば「お」を入力するためには、「あ」のキーを５回押下する必要がある。図５にこの従来の方法による入力例を示す。【０００３】  さらに現在の携帯電話は、実際の文字入力を行う前にひらがな・カタカナ・数字・英字等の文字種をあらかじめモードボタンで選択しておかなくてはならず、スムーズな入力を妨げている。また、記号の入力には専用のキーを押しカーソルで選択して入力しなくてはならない。これも入力が一旦途切れるため、スムーズな入力を妨げている。
【発明の開示】
【発明が解決しようとする課題】
【０００４】  以上のような時間のかかる入力方法から、キー押下回数を減らし容易に、そしてストレス無く文字を入力、変換できる方法を提供することを課題とする。
【課題を解決するための手段】
【０００５】  以上の課題を解決するために、第一発明は、携帯電話等の数字キー「０」から「９」、及び「＊」「＃」の４行×３列のキーのうち、２つ以上のキーを同時に押すことにより文字を入力したり、文字種変換する方法である。同時に押すとは、キーが押し下げられている期間が重なっていることを示す。【０００６】  また、第二発明は、第一発明を用い、容易に覚えられる、次に述べるコード体系である。
コード体系の中には、かな文字のコード体系、促音や拗音のコード体系、改行やスペースや記号のコード体系、英字のコード体系、変換キーのコード体系、等が含まれている。図３と図４に一覧表を示す。【０００７】  「あ」を入力する場合は、「あ」を一回押下する。「い」を入力する場合は、「あ」と共に次の列の先頭「か」を同時に押す（「あ」を押しながら「か」を押す、という順番を意識した方法も可能）。「う」を入力する場合は、「あ」と共に次の列の２番目「な」を同時に押す。「え」「お」の入力は同様に３番目「や」４番目「わ」となる。「た」を入力する場合は、「た」を一回押下する。「ち」を入力する場合は、「た」と共に次の列の先頭「か」を同時に押す。以下あ行と同様である。「か」を入力する場合「か」を一回押下する。「き」を入力する場合は、「か」と共に次の列の先頭「さ」を同時に押す。以下同様である。「さ」を入力する場合は、「さ」を一回押下する。「し」を入力する場合は、「さ」と共に最初の列の先頭「あ」を同時に押す。以下同様である。このようにしてあ行から、ら行までを定める。や行とわ行は別途記す。【０００８】  「わ」を入力する場合は、「わ」を一回押下する。「を」を入力する場合は、「わ」と共に次の列の最後「＃」を同時に押す。「ん」を入力する場合は、「わ」と共に「ら」を同時に押す。【０００９】  「や」を入力する場合は、「や」を一回押下する。「ゆ」を入力する場合は、「や」と共に「は」を同時に押す。「よ」を入力する場合は、「や」と共に「＃」を同時に押す。拗音で用いられる「ゃ」を入力する場合は、「や」と共に「か」を同時に押す。「ゅ」を入力する場合は、「や」と共に「さ」を同時に押す。「ょ」を入力する場合は、「や」と共に「ら」を同時に押す。また、小さい「っ」を入力する場合は、「た」と共に「＊」を同時に押す。小さい母音「ぁ」を入力する場合は、「＊」を押す。「ぃ」を入力する場合は、「＊」と共に「か」を同時に押す。以下同様である。【００１０】  「ゃ」「ゅ」「ょ」を用いた拗音の入力にも対応させる。「ちゃ」を入力する場合は、「た」を押しながら「や」を押し、そのまま「た」は離さず「や」は離し「か」を押す。もしくは、「た」を押しながら「や」を二回押す。つまり、行＋「や」「ゆ」「よ」「ゃ」「ゅ」「ょ」キーの２回の入力で拗音可能とする。これでか行「きゃ」から、ら行「りょ」までの拗音が入力できる。【００１１】  濁音、半濁音の入力は、既存の入力方法と同じく、「＃」を一回もしくは二回押下することで行う。ただし拗音にも適用されることに注意する。すなわち、「きゃ」を入力した後「＃」を一回押すことで、「ぎゃ」になる。【００１２】  記号の入力を次に記す。記号は、漢字変換を用いて違う記号に変えることもできる。例えば「…」を入力し、漢字変換候補に「‥」が出てきてもよい。ただし漢字変換については、本発明外である。
「ー」入力は、「わ」＋「は」を同時に押す。
「…」入力は、「わ」＋「さ」を同時に押す。
「、」入力は、「わ」＋「か」を同時に押す。
「。」入力は、「わ」＋「な」を同時に押す。
「（改行）」入力は、「わ」＋「や」を同時に押す。
「・」入力は、「＃」＋「さ」を同時に押す。
「！」入力は、「＃」＋「は」を同時に押す。
「？」入力は、「＃」＋「ら」を同時に押す。
「（」入力は、「あ」＋「ま」を同時に押す。
「）」入力は、「さ」＋「ら」を同時に押す。
「（スペース）」入力は、「あ」＋「＊」を同時に押す。【００１３】  また、第三発明は、第一発明を用い、文字入力だけでなく、文字変換も可能にすることで、モード切替を無くしスムーズな入力を実現する方法である。これまでとは、文字の入力後である点と文字入力と同等の方法で変換するという点が異なる。以下、キーの割り当て（すなわちコード体系）については第二発明とし、第一発明を用いた文字変換についてを、本第三発明とする。文字種変換とは、ひらがな・カタカナ・数字・英字・半角全角・大文字小文字、の相互変換のことをさす。相互変換は既存のかな漢字システムと協力して行い、漢字への変換は、かな漢字システムが行うものとする。図４文字種変換に一覧表を示す。【００１４】  カタカナへの変換について。まずは文字を入力した後、「＃」＋「あ」を同時に押すことで、確定前の文字がすべて半角カタカナへ変換される。さらにこの状態から「＃」を押したままもう一度「あ」を押すことで、すべて全角カタカナへ変換される。【００１５】  数字への変換について。ボタンに表示されている数字キーをそのまま同時押しせずに、入力する。このときまだ画面には、ひらがなが表示されている。数字の入力が終わったら、「＃」＋「た」を同時に押すことで、確定前の文字がすべて半角数字に変換される（母音がアでないものはひらがなのまま残す）。さらにこの状態から「＃」を押したままもう一度「た」を押すことで、すべて全角数字に変換される。【００１６】  大文字英字への変換について。まずは、数字キーに表示されているアルファベットを、本方法を用いて入力する。すなわち「Ａ」を入力する場合は、「か」＋「さ」を同時に押す。「Ｂ」を入力する場合は、「か」＋「は」を同時に押す。「Ｄ」を入力する場合は、「さ」＋「あ」を同時に押す。以下「Ｚ」まで同様である。常に同時押しを用いることに注意する。画面上では、まだひらがなが表示されている。英字の入力が終わったら、「＃」＋「ま」を同時に押すことで、確定前の文字がすべて半角大文字英字に変換される。さらにこの状態から「＃」を押したままもう一度「ま」を押すことで、すべて全角大文字英字に変換される。さらにこの状態から「＃」を押したままもう一度「ま」を押すことで、半角英字で先頭だけ大文字で残りは小文字に変換される。さらにこの状態から「＃」を押したままもう一度「ま」を押すことで、全角英字で先頭だけ大文字で残りは小文字に変換される。【００１６】  小文字英字への変換について。先ほどと同様にアルファベットを入力する。英字の入力が終わったら、「＃」＋「＊」を同時に押すことで、確定前の文字がすべて半角小文字英字に変換される。さらにこの状態から「＃」を押したままもう一度「＊」を押すことで、すべて全角小文字英字に変換される。さらにこの状態から「＃」を押したままもう一度「＊」を押すことで、半角英字で先頭だけ大文字で残りは小文字に変換される。さらにこの状態から「＃」を押したままもう一度「＊」を押すことで、全角英字で先頭だけ大文字で残りは小文字に変換される。
【発明の効果】
【００１７】  以上説明したように、本発明では携帯電話等での入力に、数字キーによる同時押し方式を採用している。このため文字入力の高効率化、迅速化を図ることができ、数多くのメールのやりとりで問題になっていた、指の使いすぎによる腱鞘炎防止にも役立つ。また補助キーなどは使用しないため、既存機器のソフトウェアの対応だけですみ導入が簡単である。さらに、現在主流の入力方式との併用が可能なため、片手の時は現在の方法、両手が開いている場合は本方法と、使用者は柔軟に文字入力することが可能である。
【発明を実施するための最良の形態】
【００１８】  この発明の一実施形態を図１に示す。例えば“おはよう。”と入力する場合、まず「あ」＋「わ」を同時に押下することで、“お”が入力される。次に「は」を押下することで、“は”が隣の位置に入力され、“おは”となる。続いて「や」＋「＃」を同時押下し“おはよ”となる。同様に「あ」＋「な」の同時押下で“おはよう”となり、最後に「わ」＋「な」の同時押下で句読点が入力され“おはよう。”となる。通常このままかな漢字システムに渡され、必要に応じて漢字変換された後、決定キーで文字の確定となる。【００１９】  この発明の一実施形態を図２に示す。例えば“チャンネル”と入力する場合、まず「た」＋「や」を同時に押下することで、“て”と表示される。その状態で「た」は押し下げたまま、「や」を一度離してもう一度押下することで、“ちゃ”と入力される。続いて、「わ」＋「ら」を同時押下、「な」＋「ら」を同時押下、「ら」＋「た」を同時押下することで、“ちゃんねる”と表示される。そして、「＃」＋「あ」を同時押下することで、入力した文字がすべて半角カタカナ変換され、このままもう一度「＃」＋「あ」を押下することにより全角カタカナへ変換される。これにより表示が“チャンネル”となる。
通常このままかな漢字システムに渡され、決定キーで文字の確定となる。かな漢字システムは本発明外であり、入力文字をかな漢字システム等に渡すまでが本発明の責務である。
【図面の簡単な説明】
【００２０】
【図１】この発明の一実施形態の入力部と実際の入力ステップ（５０音と記号）
【図２】この発明の一実施形態の入力部と実際の入力ステップ（カタカナ変換）
【図３】この発明のコード体系一覧表の一部（かな・小かな・拗音）
【図４】この発明のコード体系一覧表の一部（英字・記号・変換キー）
【図５】従来における入力部と実際の入力ステップ
【図１】
2005310090.tif 000003
【図２】
2005310090.tif 000004
【図３】
2005310090.tif 000005
【図４】
2005310090.tif 000006
【図５】
2005310090.tif 000007